(57)【特許請求の範囲】
【請求項１】
所定の間隔を有して互いの開口が対向する一対の取付袋部（Ａ，Ａ）を備えたモップ（Ｍ）の該取付袋部（Ａ）に挿入される挿入部（３５，３８）がそれぞれ形成された一対の掛止部材（２０ａ，２０ｂ）を備え、該一対の掛止部材（２０ａ，２０ｂ）の少なくとも何れか一方が、他方の掛止部材（２０ｂ）に対して傾動可能とされたモップヘッドにおいて、前記一対の挿入部（３５，３８）同士を接離可能とすべく、前記一対の掛止部材（２０ａ，２０ｂ）が相対的に位置変更可能に設けられ、一方の掛止部材（２０ａ）には、傾動支点となる枢支軸（２２）が形成されるとともに、他方の掛止部材（２０ｂ）には、前記枢支軸（２２）を枢支可能とした複数の枢支部（２３ａ，２３ａ，２３ｂ，２３ｂ）が所定の間隔を有して設けられ、前記複数の枢支部（２３ａ，２３ａ，２３ｂ，２３ｂ）のいずれかを適宜選択し、該選択した枢支部（２３ａ，２３ａ，２３ｂ，２３ｂ）に枢支軸（２２）を枢支させるようにしたことを特徴とするモップヘッド。
【請求項２】
前記枢支部（２３ａ，２３ａ，２３ｂ，２３ｂ）の間隔方向において前記他方の掛止部材（２０ｂ）が位置変更可能に取り付けられる基材（２１）を更に設け、前記枢支部（２３ａ，２３ａ，２３ｂ，２３ｂ）が、前記他方の掛止部材（２０ｂ）の位置変更量に対応した位置に設けられた請求項１記載のモップヘッド。
【請求項３】
前記枢支部（２３ａ，２３ａ，２３ｂ，２３ｂ）の間隔方向において前記他方の掛止部材（２０ｂ）が位置変更可能に取り付けられる基材（２１）を更に設け、前記枢支部（２３ａ，２３ａ，２３ｂ，２３ｂ）が、前記他方の掛止部材（２０ｂ）の位置変更量の略二倍に対応した位置に設けられた請求項１記載のモップヘッド。
【請求項４】
前記他方の掛止部材（２０ｂ）に複数の固定用穴（２４ａ，２４ａ，２４ａ，２４ａ，２４ｂ，２４ｂ，２４ｂ，２４ｂ）が前記枢支部（２３ａ，２３ａ，２３ｂ，２３ｂ）の間隔方向に前記他方の掛止部材（２０ｂ）の位置変更量に対応した間隔で穿孔されるとともに、前記基材（２１）の所定部位にネジ穴（２５，２５，２５，２５）が穿孔され、該固定用穴（２４ａ，２４ａ，２４ａ，２４ａ，２４ｂ，２４ｂ，２４ｂ，２４ｂ）を介してネジ穴（２５，２５，２５，２５）にネジ部材（２６）を螺嵌して前記他方の掛止部材（２０ｂ）を基材（２１）に固定するようにした請求項２又は３記載のモップヘッド。
【発明の詳細な説明】
【０００１】
【発明の属する技術分野】
本発明は、床を掃除するモップを取り付けるモップヘッドに関する。
【０００２】
【従来の技術】
従来から床面の清掃を行う時は、モップが使用されることが多い。かかるモップは、図１に示す如く、棒状のモップハンドルＨの一端に設けられたモップヘッド１０に取り付けられて使用される。前記モップＭは、平面視略楕円形状をなした生地部Ｂの一面に木綿を撚り合わせて房状にしたもの（以下、拭き取り部という）Ｃが設けられ、他面に前記モップヘッド１０に取り付ける一対の取付袋部Ａ，Ａが形成されたものである。前記一対の取付袋部Ａ，Ａは、生地部Ｂの長手方向の頂点近傍の形状と同一の布材Ｓ、すなわち、平面視山形状をなした布材Ｓを生地部Ｂの形状に対応させて配置し、前記布材Ｓと生地部Ｂとを生地部Ｂの外周に沿って縫い合わせて形成されている。したがって、モップＭの生地部Ｂには、山形状の底辺となる部分が開口を形成させるように、布材Ｓが生地部Ｂに縫い付けられているのである。
【０００３】
前記モップヘッドは、図４に示す如く、基材６０と、該基材６０に取り付けられ、前記モップＭの取付袋部Ａ，Ａを掛止して該モップＭを取り付ける一対の掛止部材６１ａ，６１ｂとで構成されている。
【０００４】
前記基材６０は、モップＭと略同等の形状をなしており、前記一対の掛止部材６１ａ，６１ｂにモップＭを取り付けたときに、モップＭの他面が使用者に見えないようにするカバーも兼ねている。
【０００５】
前記一対の掛止部材６１ａ，６１ｂのそれぞれは、前記モップＭと平面視略同等の板材を長手方向の中間位置を短手方向に切断した形状、すなわち、平面視半楕円形状をなしている。つまり、一対の掛止部材６１ａ，６１ｂのそれぞれは、山形状をなした板材であり、山形の底辺同士を対向させて一対の掛止部材６１ａ，６１ｂを配置すると、前記基材６０と略同等の形状となるようになっている。そして、一対の掛止部材６１ａ，６１ｂは、該一対の掛止部材６１ａ，６１ｂの一方の面の全てが基材６０と略対向し、且つ所定の間隔を有しするように配置され、一方の掛止部材６１ａは、山形の底辺が基材６０に固定され、他方の掛止部材６１ｂは、山形の底辺の両端部が基材６０に枢着されている。なお、他方の掛止部材６１ｂは、モップＭを取り付けた際に傾動しないように、基材６０に掛止できるようになっている。
【０００６】
そして、上記構成のモップヘッド１０にモップＭを取り付けるには、他方の掛止部材６１ｂを傾動させた状態で、一方の掛止部材６１ａを一方の取付袋部５１の開口を介して取付袋部５１内に挿入し、その後、他方の掛止部材６１ｂを他方の取付袋部５１の開口を介して他方の取付袋部５１内に挿入する。そして、傾動させていた他方の掛止部材６１ｂを、一方の掛止部材６１ａと同一面を形成するように元の位置に戻してモップＭの取付けが完了する。
【０００７】
このように取り付けられたモップＭは、使用者が該モップＭの拭き取り部Ｃを床面に接触して移動させるように、モップハンドルＨを動かすことにより、床面のゴミや塵を付着させて床面をきれいにする。
【０００８】
そして、ゴミや塵が大量に付着したモップＭは、モップヘッド１０から取り外され、その後に洗浄及び乾燥されて再度使用される。
【０００９】
【発明が解決しようとする課題】
しかしながら、前述の如く、モップＭは、該モップＭの生地部Ｂが繊維で構成され、また、生地部Ｂの一面に木綿を撚り合わせて房状にした拭き取り部Ｃが設けられたものであるため、繰り返し洗浄することで縮みが生じる。これにより、一対の取付袋部Ａ，Ａの開口同士の間隔が短くなり、他方の掛止部材６１ｂを傾動させても、一対の掛止部材６１ａ，６１ｂの山形の頂点同士の距離がモップＭの開口間の距離よりも長く、基材６０に固定された一方の掛止部材６１ａのみにしか取付袋部５１内に挿入できないという事態が生じることがあった。つまり、モップヘッド１０にモップＭを取り付けることができないのである。
【００１０】
また、モップＭは、種々の大きさのものあるが、モップヘッド１０は、所定のモップＭの大きさに対応して選定されたものであり、仮に、使用者が大きさの違うモップＭを所有していても、該モップＭに対応したモップヘッド１０を所有していなければ使用することができなかった。つまり、複数のモップヘッド１０を所有しなければならない場合があった。
【００１１】
そこで、本発明は、上記問題を鑑み、繰り返し洗浄して縮みが生じたモップであっても、取り付けることができ、しかも、所定の大きさでないモップであっても取り付けることができるモップヘッドを提供することを課題とする。
【００１２】
【課題を解決するための手段】
本発明にかかるモップヘッドは、上記課題を解決すべくなされたもので、請求項１記載の如く、所定の間隔を有して互いの開口が対向する一対の取付袋部Ａ，Ａを備えたモップＭの該取付袋部Ａに挿入される挿入部３５，３８がそれぞれ形成された一対の掛止部材２０ａ，２０ｂを備え、該一対の掛止部材２０ａ，２０ｂの少なくとも何れか一方が、他方の掛止部材２０ｂに対して傾動可能とされたモップヘッドにおいて、前記一対の挿入部３５，３８同士を接離可能とすべく、前記一対の掛止部材２０ａ，２０ｂが相対的に位置変更可能に設けられ、一方の掛止部材２０ａには、傾動支点となる枢支軸２２が形成されるとともに、他方の掛止部材２０ｂには、前記枢支軸２２を枢支可能とした複数の枢支部２３ａ，２３ａ，２３ｂ，２３ｂが所定の間隔を有して設けられ、前記複数の枢支部２３ａ，２３ａ，２３ｂ，２３ｂのいずれかを適宜選択し、該選択した枢支部２３ａ，２３ａ，２３ｂ，２３ｂに枢支軸２２を枢支させるようにしたことを特徴とする。
【００１３】
上記構成のモップヘッド１０は、モップＭの一対の取付袋部Ａ，Ａの配置に対応させるように一対の掛止部材２０ａ，２０ｂの挿入部３５，３８を接離させるように、一対の掛止部材２０ａ，２０ｂを相対的に位置変更させることができるので、モップＭを洗浄したことにより一対の取付袋部Ａ，Ａの開口間の距離が短くなっても、その縮みの生じたモップＭを取り付けることができる。また、大きさの異なるモップＭを取り付ける場合においても、一対の掛止部材２０ａ，２０ｂがモップＭの取付袋部Ａ，Ａに配置に対応するように、一対の掛止部材２０ａ，２０ｂを相対的に位置変更させれば、大きさの異なるモップＭであっても取り付けることができる。
【００１４】
即ち、一方の掛止部材２０ａには、傾動支点となる枢支軸２２が形成されるとともに、他方の掛止部材２０ｂには、前記枢支軸２２を枢支可能とした複数の枢支部２３ａ，２３ａ，２３ｂ，２３ｂが所定の間隔を有して設けられ、前記複数の枢支部２３ａ，２３ａ，２３ｂ，２３ｂのいずれかを適宜選択し、該選択した枢支部２３ａ，２３ａ，２３ｂ，２３ｂに枢支軸２２を枢支させるようにしているので、モップＭが縮んで取付袋部Ａ，Ａの開口間の距離が短くなっても、一対の挿入部３５，３８の配置が縮んだモップＭの一対の取付袋部Ａ，Ａの配置に対応するように、一方の掛止部材２０ａの枢支軸２２を、複数の枢支部２３ａ，２３ａ，２３ｂ，２３ｂの中から最適な位置の枢支部を選択して枢支させれば、その縮んだモップＭを取り付けることができる。また、大きさの異なるモップＭを取り付ける場合においても、一対の挿入部３５，３８の配置がモップＭの取付袋部Ａ，Ａに配置に対応するように、枢支軸２２を複数の枢支部２３ａ，２３ａ，２３ｂ，２３ｂの中から最適な位置の枢支部２３ａ，２３ａ，２３ｂ，２３ｂを選択してその枢支部２３ａ，２３ａ，２３ｂ，２３ｂに枢支させれば、大きさの異なるモップＭであっても取り付けることができる。
【００１５】
さらに、請求項２記載の如く、前記枢支部２３ａ，２３ａ，２３ｂ，２３ｂの間隔方向において前記他方の掛止部材２０ｂが位置変更可能に取り付けられる基材２１を更に設け、前記枢支部２３ａ，２３ａ，２３ｂ，２３ｂが、前記他方の掛止部材２０ｂの位置変更量に対応した位置に設けられてもよい。このようにすれば、一方の掛止部材２０ａと係合して該一方の掛止部材２０ａの傾動を制止する制止部材を所定の位置に設けた場合に、一対の掛止部材２０ａ，２０ｂを位置変更しても、一方の掛止部材２０ａが基材２１に対して略同一の配置を維持することができので、一方の掛止部材２０ａと制止部材との係合が可能となる。したがって、一対の掛止部材２０ａ，２０ｂ以外の部品の配置変更などをすることなく、容易に一対の掛止部材２０ａ，２０ｂの位置変更を行うことができる。
【００１６】
また、請求項３記載の如く、前記枢支部２３ａ，２３ａ，２３ｂ，２３ｂの間隔方向において前記他方の掛止部材２０ｂが位置変更可能に取り付けられる基材２１を更に設け、前記枢支部２３ａ，２３ａ，２３ｂ，２３ｂが、前記他方の掛止部材２０ｂの位置変更量の略二倍に対応した位置に設けられてもよい。このようにすれば、基材２１に一対の掛止部材２０ａ，２０ｂを取り付ける部分と対向するように柄であるモップハンドルが取り付けられた場合、一対の掛止部材２０ａ，２０ｂを移動させてモップＭを取り付けても、両方の掛止部材２０ａ，２０ｂを均等に移動させることができるので、モップＭが何れか一方の掛止部材２０ａ，２０ｂ側に偏って取り付けられるのを防止することができる。すなわち、縮んだモップＭを取り付けるために、一対の掛止部材２０ａ，２０ｂを位置変更させてモップＭを取り付けても、本来（縮む前）のモップＭの中心位置と、縮んだモップＭの中心位置が略一致させることができ、縮む前のモップＭが取り付けられていた位置に対して、縮んだモップＭが偏った位置に取り付けられるのを防止することができる。これにより、使用者が、モップハンドルを握って掃除をしても、モップＭの位置に違和感を覚えることなく、掃除に専念することができる。この場合、枢支部２３ａ，２３ａ，２３ｂ，２３ｂの間隔方向において、一方の掛止部材２０ａに係合する係合部が一方の掛止部材２０ａの位置変更量に対応した間隔で複数配置すれば、一方の掛止部材２０ａの傾動を制止させることができる。
【００１７】
そして、請求項４記載の如く、前記他方の掛止部材２０ｂに複数の固定用穴２４ａ，２４ａ，２４ａ，２４ａ，２４ｂ，２４ｂ，２４ｂ，２４ｂが前記枢支部２３ａ，２３ａ，２３ｂ，２３ｂの間隔方向に前記他方の掛止部材２０ｂの位置変更量に対応した間隔で穿孔されるとともに、前記基材２１の所定部位にネジ穴２５，２５，２５，２５が穿孔され、該固定用穴２４ａ，２４ａ，２４ａ，２４ａ，２４ｂ，２４ｂ，２４ｂ，２４ｂを介してネジ穴２５，２５，２５，２５にネジ部材２６を螺嵌して前記他方の掛止部材２０ｂを基材２１に固定するようにすれば、モップＭの縮み量に応じた位置の固定用穴２４ａ，２４ａ，２４ａ，２４ａ，２４ｂ，２４ｂ，２４ｂ，２４ｂにネジ部材２６を挿通して基材２１のネジ穴２５，２５，２５，２５に螺嵌させるだけで、一対の掛止部材２０ａ，２０ｂの位置決めを容易にすることができる。
【００１８】
【発明の実施の形態】
以下、本発明のモップヘッドにかかる一実施形態について、図面を参酌しつつ説明する。なお、モップヘッドに取り付けられるモップの種類は多数あるため、本実施形態においては、図１に示す如く、平面視略楕円状をなした布（以下、生地部という）Ｂの一面に、木綿を撚り合わせて房状にしたもの（以下、拭き取り部という）Ｃが縫い付けられ、他面に、モップヘッドに取り付けつけるための一対の取付袋部Ａ，Ａが設けられているものを採用して説明する。さらに、モップＭについて詳しく説明すると、前記一対の取付袋部Ａ，Ａは、生地部Ｂの長手方向の頂点近傍の形状と同一の布材Ｓ、すなわち、平面視山形状をなした布材Ｓを生地部Ｂの形状に対応させて配置し、前記布材Ｓと生地部Ｂとを生地部Ｂの外周に沿って縫い合わせて形成されている。したがって、モップＭの生地部Ｂには、山形状の底辺となる部分が開口を形成させるように、布材Ｓが生地部Ｂに縫い付けられているのである。
【００１９】
本実施形態にかかるモップヘッドは、図２に示す如く、該モップヘッド１０にモップＭを取り付けた際に、モップＭの取り付け部分が使用者に見えないようにする基材であるカバー体２１と、該カバー体２１に固定され、モップＭの一方の取付袋部Ａに開口を介して挿入されて、前記モップＭを掛止する一対の掛止部材の一方である第一掛止部材２０ｂと、該第一掛止部材２０ｂに傾動可能に取り付けられ、モップＭの他方の取付袋部Ａに開口を介して挿入されて、前記モップＭを掛止する一対の掛止部材の他方である第二掛止部材２０ａと、カバー体２１と第二掛止部材２０ａとの間に配置され、第二掛止部材２０ａの傾動を制止する制止部材２７と、該制止部材２７を操作する操作用部材２８とで構成されている。
【００２０】
前記カバー体２１は、平面視略楕円形状をなした板材で形成されており、カバー体２１の一面が、該楕円形状のカバー体の一面２１の略中央部を突出させるように湾曲して凸面を形成している。つまり、かかるカバー体２１は、板材で形成されているので、カバー体２１の他面は、凸面をなした一面に対応するように凹面を形成している。そして、カバー体２１の一面の略中央には、使用者がモップＭ及びモップヘッド１０を操作する棒状のモップハンドルＨの一端を枢着する枢着部２９が形成されている。また、カバー体２１の長手方向の一方の頂点と枢着部２９との間に、操作用部材２８を取り付ける為の長穴３０がカバー体２１の長手方向に長さを有するように穿孔されている。そして、カバー体２１の他面の中央部近傍には、前記第一掛止部材２０ｂを取り付ける四本の棒体３１，３１，３１，３１が、カバー体２１と鉛直をなし、且つ所定の大きさの四角形の各頂点に軸心が一致するように延設されている。かかる棒体３１，３１，３１，３１のカバー体２１とは反対側の端部には、該棒体３１，３１，３１，３１の軸心と同一軸のネジ穴２５が穿孔されている。また、カバー体２１の長手方向の中心線上に位置し、且つ四つの棒体３１，３１，３１，３１のうち、前記長穴３０側とは反対側に位置した二つの棒体３１，３１の間には、制止部材２７が係止される係止片３３が設けられている。さらに、第一掛止部材２０ｂ及び第二掛止部材２０ａにモップＭを掛止させた時に、モップＭの取付袋部Ａ，Ａをカバー体２１と第一掛止部材２０ｂ及び第二掛止部材２０ａとで挟持できるように、第一掛止部材２０ｂ、第二掛止部材２０ａとカバー体２１のと間の隙間を小さくする円板状の突片３４，３４が、カバー体２１の長手方向の両頂点近傍に形成されている。
【００２１】
第一掛止部材２０ｂは、モップＭの取付袋部Ａ，Ａの相似形をなした板材で形成された前記モップＭの取付袋部Ａに挿入する挿入部である第一先端部３５と、該第一先端部３５に連続して形成された、前記カバー体２１の四つの棒対３１，３１，３１，３１に固定される固定部３６とで構成されている。
【００２２】
前記第一先端部３５は、モップＭの取付袋部Ａ，Ａの平面視形状に相似する山形状をなした板材で形成されている。つまり、第一先端部３５の外周は、湾曲した部分（以下、湾曲部という）と、該湾曲部の端点同士を連結する直線部分（以下、直線部という）とからなっている。かかる第一先端部３５は、平面視の大きさがモップＭの取付袋部Ａ，Ａよりやや小さく、板厚が、取付袋部Ａ，Ａ内に挿入させることができる板厚とされている。そして、固定部３６は、第一先端部３５よりも板厚の厚い板材で形成されており、第一先端部３５の直線部と同等の長さを有する平面視長方形状をなした部分と、一辺が直線部よりも短い平面視矩形状をなした部分とで構成されており、該矩形状をなした板材は、長方形状の板材の中心線と矩形状の板材の中心線とが、同一直線をなし、且つ板材同士で同一面を形成するように、矩形状の板材の一端部と前記長方形状の板材の短手方向の一端部とが接続されている。また、長方形状の板材の他端部は、長方形状の板材と矩形状の板材とで形成した同一面と、第一先端部３５の一面とがさらに同一面を形成するように前記第一先端部３５の直線部と接続されている。また、前記矩形状の他端部の両端部近傍には、第二掛止部材２０ａの位置決めを行う一対の位置決め部３７が形成されている。かかる位置決め部３７は、断面角形の棒材で形成されており、該角形の一辺の長さが前記矩形状の板材の板厚と同等とされている。そして、該位置決め部３７は、一端部に段部が形成され、該段部が前記第一先端部３５と固定部３６とで形成した同一面側に位置するように、該位置決め部３７のそれぞれの他端部が、前記矩形状の板材の他端部の両端部に接続されている。つまり、第一掛止部材２０ｂは、第一先端部３５、固定部３６及び位置決め部３７が一体成型されたものである。そして、第一掛止部材２０ｂをカバー体２１に取り付けたときに、カバー体２１の長手方向の一方の頂点と、該第一掛止部材２０ｂの第一先端部３５の頂点とがほぼ対向するように、固定部３６及び位置決め部３７には、前記カバー体２１に形成された四本の棒体３１，３１，３１，３１のネジ穴２５，２５，２５，２５に対応した位置に固定用穴である四つの第一ネジ挿通穴２４ａ，２４ａ，２４ａ，２４ａが穿孔されている。また、該四つの第一ネジ挿通穴挿通穴２４ａ，２４ａ，２４ａ，２４ａと同一の構成とされた別の固定用穴である別の四つのネジ挿通穴（第二ネジ挿通穴）２４ｂ，２４ｂ，２４ｂ，２４ｂが、前記第一ネジ挿通穴挿通穴２４ａ，２４ａ，２４ａ，２４ａとのそれぞれと所定の間隔をあけて第一先端部３５側に位置して穿孔されている。そして、前記固定部３６の矩形状をなした板材の両側端部に、枢支部である一対の枢支溝（第一枢支溝）２３ａ，２３ａが形成されており、第一ネジ挿通穴挿通穴２４ａ，２４ａ，２４ａ，２４ａと第二ネジ挿通穴挿通穴２４ａ，２４ａ，２４ａ，２４ａとの間隔と同一の間隔を有するように、第一枢支溝２３ａ，２３ｂと間隔をあけて、前記第一先端部３５側に別の枢支部である一対の枢支溝（第二枢支溝）２３ｂ，２３ｂが形成されている。
【００２３】
そして、第二掛止部材２０ａは、前記モップＭの取付袋部Ａに挿入する挿入部である第二先端部３８と、該第二先端部３８に連続して形成され、該第二掛止部材３８を大きな回転半径で回転させる一対のアーム３９，３９とで構成されている。
【００２４】
前記第二先端部３８は、第一先端部３５と同一の形状を有した板材で形成されており、該第二掛止部材３８の直線部の両端部には、傾動用のアーム３９，３９が設けられている。かかる傾動用のアーム３９，３９のそれぞれは、断面が略角形をなした棒体で形成されており、前記第二掛止部材３８の直線部近傍の一面に、アーム３９，３９の一端部の一面とが接続された状態となっている。また、第二掛止部材２０ａに接続された一面と対向するアーム３９，３９の他面は、カバー体２１に緩衝しないように、第二先端部３８側が先細りするように傾斜させている。そして、一対のアーム３９，３９のそれぞれの他端部には、対向するアーム３９側に一端が突出する枢支軸２２，２２が形成されている。そして、第二先端部３８の直線部の略中央部には、第二掛止部３８が傾動するのを制止する第一係合部である制止用係合部４０が形成されており、該制止用係合部４０は、第二先端部３８の直線部の略中央部に立設された脚４１と、該脚４１の上端部から第二先端部３８とは反対側に延出した係合部４２とで構成されている。つまり、脚４１と係合部４２とで、断面Ｌ字状をなしている。
【００２５】
そして、前記制止部材２７は、長方形形状の板材で形成されており、該制止部材２７の長手方向の一端部の一面側には、前記操作部材２８を取り付ける角形の穴が穿孔され、他面側には、角形の穴４３と同軸心且つ連続して、前記角形の穴４３より小さな径を有する丸穴４４が穿孔されている。つまり、制止部材４３の長手方向の一端部には、板材を貫通した角形の穴４３と丸穴４４とで構成された段付穴４５が穿孔されている。また、他端部には、バネ体４６が形成されており、該バネ体４６は、薄板をくの字状に曲げた形状をなし、そのバネ体４６の一端が長方形状の板材の端面に接続された状態をなしている。そして、長方形状の板材の略中央部には、第二掛止部材２０ａの制止用係合部４０と係合可能な第二係合部である係合部４７が形成されている。該係合部４７は、長方形状の板材の一面と略直角をなすように、板材の中央部から延出した支持部４８と、該支持部４８の一端をさらに制止部材２７の一端部側延出して形成した係合片４９とからなる。つまり、制止部材２７の係合部４７は、第二掛止部材２０ａの制止用係合部４０と同様に、断面がＬ字状をなしたものである。
【００２６】
前記操作用部材２８は、使用者が操作するボタン状の操作部５０と、前記制止部材２８に連結する連結部５１とで構成されている。連結部５１は、ボタン状の操作部５０の一面に連続して形成された前記制止部材２７の角形の穴４３に嵌挿可能な棒体であり、前記カバー体２１の板厚以上の長さを有している。そして、操作部５０とは反対側の連結部５１の端部には、連結部５１と同軸心のネジ穴が穿孔されている。
【００２７】
上記構成からなるモップヘッド１０を組み立てる時は、まず、操作用部材２８の連結部５１をカバー体２１の長穴３０に挿通し、その連結部５１を制止部材２７の角形の穴４３に嵌挿し、制止部材２７の丸穴４４にネジを挿通し、該ネジを操作用部材２８のネジ穴に螺嵌して操作用部材２８と制止部材２７とを連結する。このとき、制止部材２７のバネ体４６の他端をカバー体２１の他面の係止片３３に係止させておかなければならない。そして、第二掛止部材２０ａのアーム３９，３９を形成させた側の面に、第一掛止部材２０ｂの位置決め部３７，３７を当接させるように第二掛止部材２０ａの枢支軸３９，３９を第一枢支溝２３ａ，２３ａ内に配置した状態で、第一掛止部材２０ｂの第一ネジ挿通穴２４ａ，２４ａ，２４ａ，２４ａのそれぞれにネジ部材２６を挿通し、該ネジ部材２６をカバー体２１の四つの棒体３１，３１，３１，３１のネジ穴２５，２５，２５，２５に螺嵌して第一掛止部材２０ｂをカバー体２１に固定する。この状態で、第二掛止部材２０ａは、第一掛止部材２０ｂに枢支された状態となる。また、カバー体２１の枢支部２９，２９には、棒状のモップハンドルＨが取り付けられて組み立てが完了する。なお、モップハンドルＨについては、本発明に直接関係しないので詳細な説明について割愛する。
【００２８】
上記構成のモップヘッド１０にモップＭを取り付ける時は、図３に示す如く、操作用部材２８をカバー体２１の長穴３０の長さ方向にスライドさせ、制止部材２７の係合部４７と第二掛止部材２０ａの制止用係合部４０との係合状態を解除して、第二掛止部材２０ａを傾動させる。そして、第一掛止部材２０ｂの第一先端部３５及び第二掛止部材２０ａの第二先端部３８のそれぞれに、モップＭの取付袋部Ａ，Ａの開口を介して、取付袋部Ａ，Ａのそれぞれに挿入し、再度第二掛止部材２０ａを、第一掛止部材２０ｂと第二掛止部材２０ａとがほぼ同一面を形成するように、第二掛止部材２０ａをもとの位置に戻し、制止部材２７の係合部４７と第二掛止部材２０ａの制止用係合部４０とを係合させて、モップＭの取付けが完了する。
【００２９】
そして、使用者がモップＭで日々の清掃を行い、該モップＭが汚れて洗浄する場合には、操作用部材２８をカバー体２１の長穴３０の長さ方向にスライドさせ、制止部材２７の係合部４７と第二掛止部材２０ａの制止用係合部４０との係合状態を解除して、第二掛止部材２０ａを傾動させる。そして、モップＭの一対の取付袋部Ａ，Ａを第一掛止部材２０ｂの第一先端部３５及び第二掛止部材２０ａの第二先端部３８から抜き取り、モップＭを取り外し、洗浄されたきれいなモップＭを取り付ける。
【００３０】
この洗浄されたモップＭが、洗浄および乾燥によって縮みが生じ、一対の取付袋部Ａ，Ａ間の間隔が短くなり、第一掛止部材２０ｂ及び第二掛止部材２０ａが、該モップＭの一対の取付袋部Ａ，Ａに挿入することができなくなった場合、まず、カバー体２１に第一掛止部材２０ｂを固定したネジ部材２６を外して第一掛止部材２０ｂをカバー体２１から外し、第一掛止部材２０ｂを第二掛止部材２０ａ側に変位させるように第二掛止部材２０ａの枢支軸２２，２２を第一掛止部材２０ｂの第二枢支溝２３ｂ，２３ｂに移す。そして、第一掛止部材２０ｂの第二ネジ挿通穴２４ｂ，２４ｂ，２４ｂ，２４ｂにネジ部材２６を挿通し、該ネジ部材２６をカバー体２１のネジ穴２５，２５，２５，２５に螺嵌して第一掛止部材２０ｂをカバー体２１に固定する。この状態で、第一掛止部材２０ｂ及び第二掛止部材２０ａのモップＭの一対の取付袋部Ａ，Ａに挿入される部分が、所定距離で接近した状態となる。つまり、第一掛止部材２０ｂの第一先端部３５の頂点と第二掛止部材２０ａの第二先端部３８の頂点との距離が短くなったので、一対の取付袋部Ａ，Ａ間の距離が短くなったモップＭでも取り付けることが可能となる。そして、上述したモップＭの取付け方法と同様の行程を行えば、モップＭの取付けが完了する。
【００３１】
以上のように、第一掛止部材２０ｂ及び第二掛止部材２０ａを相対的に移動させることができるので、モップＭを洗浄して該モップＭが縮んでも、第一掛止部材２０ｂと第二掛止部材２０ａとの距離を変えることで容易にモップＭを取り付けることができる。
【００３２】
したがって、第一掛止部材２０ｂ及び第二掛止部材２０ａを移動させることができる範囲内であれば、大きさの違うモップＭであっても、該モップＭの大きさに対応するように第一掛止部材２０ｂ及び第二掛止部材２０ｂを移動させれば、種々のモップＭを取り付けることができる。これにより、使用者が、大きさの違うモップＭを数種類使用する場合であっても、そのモップＭの種類の数に対応したモップヘッド１０を準備する必要がなくなる。したがって、モップヘッド１０にモップハンドルＨが取り付けられた状態で、収納されても、一つのモップハンドルＨ及びモップヘッド１０だけの収納となり、収納スペースを他の用途に有効活用することができる。
【００３３】
また、第二掛止部材２０ａがカバー体２１に対して位置変更せずに、第一掛止部材２０ｂのみが第二掛止部材２０ａ側に位置変更されているので、制止部材２７の係合部４７と第二掛止部材２０ａの制止用係合部４０とを確実に係合させることができる。
【００３４】
尚、本発明のモップヘッドは、上記した実施の形態に限定されるものではなく、本発明の要旨を逸脱しない範囲内において種々変更を加え得ることは勿論である。
【００３５】
本実施形態において、カバー体２１、第一掛止部材２０ｂ、第二掛止部材２０ａ及び制止部材２７のそれぞれは、一体成型されたものであるが、例えば、第一掛止部材２０ｂにおいて、第一先端部３５、固定部３６、位置決め部３７のそれぞれを、別体で成型し、最終的に第一掛止部材２０ｂに組み立ててもよい。つまり、カバー体２１、第一掛止部材２０ｂ、第二掛止部材２０ａ及び制止部材２７のそれぞれの機能が維持できれば、製作工程および方法は、本実施形態に囚われるものではなく、種々の製造方法で製作が可能である。
【００３６】
また、本実施形態において、第一掛止部材２０ｂに形成した四つに第一ネジ挿通穴２４ａ，２４ａ，２４ａ，２４ａ及び四つの第二ネジ挿通穴２４ｂ，２４ｂ，２４ｂ，２４ｂを穿孔したが、二組の穴を設けるものに限定されるものではなく、第一掛止部材２０ｂ及び第二掛止部材２０ａの接離方向に長さを有する一対の長穴としてもよい。すなわち、第一掛止部材２０ｂ及び第二掛止部材２０ａの接離方向の同一列上に位置して、隣接する第一ネジ挿通穴２４ａと第二ネジ挿通穴２４ｂ同士を一つ長穴にしてもよい。このすれば、基材２１に対する第一掛止部材２０ｂ及び第二掛止部材２０ａの位置調整を行うことができる。
【００３７】
さらに、第一掛止部材２０ｂに設けた枢支溝は、第一枢支溝２３ａ，２３ａ及び第二枢支溝２３ｂ，２３ｂの二組の溝が形成されたものに限定されるものではなく、二組以上の溝を形成してもよい。二組以上の枢支溝を形成すれば、さらに種々の大きさの違うモップＭを取り付けることができる。
【００３８】
また、二組以上の枢支溝を形成する場合、枢支溝同士の間隔を、第一掛止部材２０ｂを変位させる変位量（位置変更量）の略二倍（第一掛止部材２０ｂを変位させる変位量を枢支溝間の間隔の半分）とすれば、第一掛止部材２０ｂ及び第二掛止部材２０ａのそれぞれを均等に変位させることができ、モップＭが偏って取り付けられるのを防止できる。したがって、複数の枢支溝を形成した場合、当初枢支軸２２を枢支させていた枢支溝に対して第一掛止部材２０ｂを変位させる変位量の倍の間隔に位置した枢支溝に枢支させても、第一掛止部材２０ｂ及び第二掛止部材２０ａのそれぞれを均等に変位させることができ、モップＭが偏って取り付けられるのを防止できる。この場合において、係合部４０が大きく変位できるように制止部材２７の変位量を大きくしておけば、第二掛止部材２０ａを位置変更して制止用係合部４０が変位しても、係合部４７及び制止用係合部４０の係脱が可能となる。
【００３９】
また、制止部材２７のバネ体４６は、必ずしも制止部材２７の他端に取り付けられたものに限定されるものではなく、別体のバネ、例えば、圧縮コイルバネをカバー体２１の係止片３３と制止部材２７の他端とで挟持させたものであってもよい。つまり、制止部材２７がバネ力によって、制止部材２７の係合部４７と第二掛止部材２０ａの制止用係合部４０との係合が維持できるように、所定の位置に復元されればよい。
【００４０】
【発明の効果】
以上の如く、本発明にかかるモップヘッドは、繰り返し洗浄して縮みが生じたモップであっても、一対の挿入部を接離させるように一対の掛止部材を相対的に位置変更することができるので、一対の挿入部をモップの取付袋部の配置に対応するように接離させれば、モップを取り付けることができる。
【００４１】
また、種類又は大きさの異なるモップを取り付ける場合であっても、一対の挿入部を接離させるように一対の掛止部材を相対的に位置変更することができるので、一対の掛止部材の位置可能な範囲内において、種類及び大きさに関係なく種々のモップを取り付けることができる。したがって、使用者は、モップの種類に応じた数のモップヘッドを所持する必要がなくなり、これまで、複数のモップヘッドやモップハンドルを収納していた収納スペースを有効利用することができる。
【図面の簡単な説明】
【図１】本発明の一実施形態にかかるモップヘッドに取り付けられるモップの外観斜視図。
【図２】同実施形態にかかるモップヘッドの分解斜視図。
【図３】第二掛止部材を傾動させた状態における、同実施形態にかかるモップヘッドの斜視図。
【図４】掛止部材を傾動させた状態における、従来のモップヘッドの斜視図。
【符号の説明】
１０…モップヘッド、２０ａ、２０ｂ…掛止部材（２０ａ…第二掛止部材、２０ｂ…第一掛止部材）、２１…基材（カバー体）、２２…枢支軸、２３ａ、２３ｂ…枢支溝（２３ａ…第一枢支溝、２３ｂ…第二枢支溝）、２４ａ、２４ｂ…固定用穴（２４ａ…第一ネジ挿通穴、２４ｂ…第二ネジ挿通穴）、２５…ネジ穴、２６…ネジ部材、２７…制止部材、２８…操作用部材、２９…枢着部、３０…長穴、３１…棒体、３３…係止片、３４…突片、３５…第一先端部、３６…固定部、３７…位置決め部、３８…第二先端部、３９…アーム、４０制止用係合部、４１…脚、４２…係合部、４３、４４…穴、４５…段付穴、４６…バネ体、４７…係合部、４８…支持部、４９…係合片、５０…操作部
【図１】
0003569692.tif 000002
【図２】
0003569692.tif 000003
【図３】
0003569692.tif 000004
【図４】
0003569692.tif 000005